(57)【特許請求の範囲】
【請求項１】
背上げ式ベッドに用いる着脱可能なベッドに枕を装着する枕固定装置であって、
枕カバー保持部材は、ベッド利用者の頭部上面の前記ベッドの端部に位置し、前記枕を収納する枕カバーを装着する棒状部材と、
前記棒状部材の両端部付近に連結し、前記ベッドに固定するベッド固定部材と、からなり、
前記ベッド固定部材は、その先端部にベッドに接してベッド装着後簡単に動かないようにする滑り止めを備え、
前記枕カバーは、その内部に少なくとも２つの枕の収納部と、その枕を出し入れする開口部と、前記収納部の少なくとも一部に防水加工もしくは防水部材と、を有し、
前記枕カバーを前記棒状部材に巻きつけて装着するときに、枕の大きさに合わせて枕の位置を前記枕カバーに固着した位置調節部材により調節して固定し、再度枕の位置を変更することができることを特徴とする枕固定装置。
【請求項２】
前記枕カバー保持部材は、挟装する部材により２つの部材が摺動可能に構成され、その摺動する部材をフレーム側ベッド裏面から前記ベッドを狭持する方向に付勢する付勢部材と、
前記棒状部材と連結し、前記ベッドの利用者が接するベッド表面に密接する壁を有する棒連結部材と、を有し、
前記ベッドの厚みに合わせ、前記ベッドを狭持する伸縮自在な伸縮調節部材を備えることを特徴とする請求項１に記載の枕固定装置。
【請求項３】
前記枕カバー保持部材は、前記棒状部材を連結する棒連結部材と、
前記棒連結部材と前記ベッド固定部材との連結部に前記ベッド固定部材が前記棒状部材と略平行な位置に回動可能な軸と、
前記ベッド固定部材の略直角の折曲部で２つに分離し、その連結部が蝶番構造である連結部材と、
を備えることを特徴とする請求項１に記載の枕固定装置。
【請求項４】
前記枕カバー保持部材は、前記棒状部材と連結し、前記ベッドの利用者が接するベッド表面に密接する壁を有する棒連結部材と、
一部に紐状部材と、を有し、
前記ベッドの厚みに合わせ、前記ベッドに枕カバー保持部材を装着する幅に調節可能な、前記紐状部材に装着された幅調節部材を備えることを特徴とする請求項１に記載の枕固定装置。
【発明の詳細な説明】
【技術分野】
【０００１】
本発明は、介護用ベッド等の背上げ式ベッドにおいて、ベッド利用者が就寝時のベッドの平らな状態から、食事、テレビ鑑賞や読書等、ベッドを起こして利用する際に枕が重力方向に移動することを防止し、ベッドに簡単に装着することができ、安価な構成の枕の固定装置に関するものである。
【背景技術】
【０００２】
従来、介護用ベッド等の背上げ式ベッドの利用者は、食事、テレビ鑑賞や読書等の時にベッドを起こして利用する。就寝時のベッドを倒した状態、すなわちベッドが平らな状態では枕のずれはそれほど無いが、ベッドを起こして利用する際はベッドを起こす度に枕を手で押さえていなければ枕が重力方向に落ちてしまい非常に不便である。また、ベッドを起こして使用する場合は枕を人体頭部で押さえていなければならない。このようなことより、従来からベッドを起こして利用する際の枕の落下防止対策に様々な方法が考案されている。
【０００３】
例えば特許文献１のように、ベッドの厚みに合わせて装着可能な枕の落下防止装置は、ベッド利用者が接する表面とフレームが接する裏面との両面に配置した部材を連結固定した後、枕の位置を微調整することができる考案であり、また、例えば特許文献２のように、水枕をシートで包み込んだ落下防止用の水枕ストッパーは、前記シートを保持する器具をベルト状の部材１本でベッドのフレームに装着することができる考案等がある。
【先行技術文献】
【特許文献】
【０００４】
【特許文献１】実用新案登録第３１２９４９１号公報
【特許文献２】実開平６−６８７４５号公報
【発明の概要】
【発明が解決しようとする課題】
【０００５】
上述したように、介護ベッド等の背上げ式ベッドの利用者は、食事、テレビ鑑賞や読書等の時にベッドを起こして利用するが、ベッドを起こす度に枕が重力方向に落ちてしまい、非常に不便である。また、病院等のベッド利用者は短期間で入れ替わるため、枕をベッドに固定する装置を簡単にベッドに着脱する必要がある。加えてベッドの種類も多く、厚みの異なるベッドが存在する。そこで本発明は、ベッド利用者が接するベッド表面側から簡単に着脱でき、厚みの異なるベッドに対応し、枕がベッドに対しずれ難く、大きさの異なる枕を１種類の枕カバーで対応でき、枕カバー内部に水枕等の冷却枕の保冷時間を長持ちさせる機能を備えた枕固定装置を提供することを目的とする。
【課題を解決するための手段】
【０００６】
上記目的を達成するため、本発明における枕固定装置の第１の態様は、背上げ式ベッドに用いる着脱可能なベッドに枕を装着する枕の固定装置であって、ベッド利用者の頭部上面の前記ベッドの端部に位置し、前記枕を収納する枕カバーを装着する棒状部材と、前記棒状部材と連結するとともに前記ベッドに固定するベッド固定部材とを備え、前記枕カバーは、少なくとも一方に枕を出し入れする開口部を有するとともに、前記枕カバー内部に少なくとも２つの前記枕の収納部と、前記収納部の少なくとも一部に防水加工もしくは、防水部材を備えて水枕等で発生する水滴をシーツやベッドに漏らさぬようにし、前記枕カバーは前記棒状部材に装着するときに前記枕の大きさに合わせて枕の位置を自由に調節する位置調節部材を備えることを特徴としている。
【０００７】
本発明における枕固定装置の第２の態様は、第１の態様において、前記ベッド固定部材は、前記棒状部材を連結するとともに、前記ベッドの利用者が接するベッド表面に接触する壁を有する部材と、前記ベッドの厚みに合わせ、フレーム側のベッド裏面から狭持する伸縮自在な伸縮調節部材とでベッドを挟み込み、前記伸縮調節部材は、前記ベッドを挟み込む方向に付勢する付勢部材を備えることを特徴としている。
【０００８】
本発明における枕固定装置の第３の態様は、第１の態様または第２の態様において、前記ベッド固定部材は、前記棒状部材を連結する棒連結部材と、前記ベッドに固定するベッド固定部材とを備え、前記棒連結部材は、前記ベッド固定部材との連結部に前記ベッド固定部材が前記棒状部材と略平行な位置に回動可能な軸を有し、前記ベッド固定部材は、略直角の折曲部で２つに分離し、その連結部が蝶番構造である連結部材にすることで折畳みすることができ、コンパクトに収納できることを特徴としている。
【０００９】
本発明における枕固定装置の第４の態様は、第１、第２の態様及び、第３の態様において、前記枕カバー収納部に水枕等を低温度に維持する部材を備えることを特徴としている。
【００１０】
本発明における枕固定装置の第５の態様は、第１の態様及び、第４の態様において、前記ベッド固定部材は、前記棒状部材を連結するとともに、前記ベッドの利用者が接するベッド表面に接触する壁を有する部材と、一部に紐状部材とを有し、前記紐状部材に装着され、前記ベッドの厚みに合わせ、前記枕固定装置を装着する幅に調節可能な幅調節部材を備えることを特徴としている。
【発明の効果】
【００１１】
本発明に係る枕固定装置によれば、ベッド利用者が接するベッド表面側から枕の固定装置を簡単に着脱でき、また、厚みの異なるベッドに装着可能であり、更に強固にベッドに枕の固定装置を装着する必要のある場合は、ベッドの厚みに合わせてベッドを挟持する調節構造を持った枕の固定装置である。
【００１２】
また、大きさの異なる枕を１種類の枕カバーで対応できるので、枕カバーを枕の大きさ毎に用意する必要がなく経済的であり、枕カバーの枕収納部は、内部に防水加工や防水部材を用いることにより、水枕や保冷剤等で発生する水滴をベッドやシーツ等から遮断できる。更に枕カバーの枕収納部内に防水機能を持った断熱部材や保冷剤等を用いることにより、水枕の保冷時間を長持ちさせることができる。
【図面の簡単な説明】
【００１３】
【図１】本発明の枕カバー保持部材１をベッド１５に装着した斜視図である。
【図２】本発明の伸縮自在な調節構造を有する枕固定装置の斜視図である。
【図３】図２のＡ−Ａ線に沿った伸縮自在な調節構造部の断面図である。
【図４】図２のＢ−Ｂ線に沿った伸縮自在な調節構造部の断面図である。
【図５】本発明の伸縮自在な調節構造部に保護カバー１１をとりつけた枕固定装置の斜視図である。
【図６】本発明の伸縮自在な調節構造を有する第２の実施形態の枕カバー保持部材１の斜視図である。
【図７】本発明の枕カバー８の斜視図である。
【図８】本発明の枕カバー８の側面図である。
【図９】本発明の枕カバー保持部材１の一部に紐１３を用いた枕固定装置の斜視図である。
【発明を実施するための形態】
【００１４】
添付図面を参照しながら、本発明の最良の形態について詳細に説明する。図１は、本発明の実施形態のベッド１５に装着され、図２に記載の枕カバー８を保持する枕カバー保持部材１の斜視図である。枕カバー保持部材１は、枕カバー８が着脱可能に装着され、断面が丸もしくは角形状の棒状部材の棒２と、枕カバー保持部材１をベッド１５に装着後、簡単に動かないようにする摩擦係数の大きいゴム部材等でつくられた滑り止め５を有し、ＡＢＳ等の樹脂やステンレス等の金属やアルミ、亜鉛合金等の材料でつくられ、枕カバー保持部材１をベッド１５に固定するベッド固定部材４と、ベッド固定部材４と棒２とを連結する棒連結部材３とから構成されている。また、棒２とベッド固定部材４とはそれぞれ棒連結部材３に２つのねじ６で螺合される。ベッド固定部材４は、ベッド固定部材４と棒連結部材３とを螺合するねじ６を緩めることで、ねじ６を回動軸として棒２の中心方向に回動させ棒２と略平行な位置にするとともに、ベッド固定部材４の略直角の折曲部で２つに分離し、図示しない蝶番のような蝶着する構造の連結部材にすることにより、収納時に折畳み可能でコンパクトに収納することができる。収納時は、枕カバー８に包むようにすると良い。
【００１５】
枕カバー保持部材１は、ベッド固定部材４がベッド１５と図示しないベッドのフレームとによって挟持され、ベッド利用者の頭部上面のベッド１５の端部１５ａに位置し、ベッド固定部材４が棒２の両端部付近の２箇所に配置されることにより落下方向ｙに傾きにくくしている。本発明では図示しない両端開放の筒状枕カバーの場合に備えて、棒２を棒連結部材３から外すことで枕カバー８を棒２の一端から軸通できるようにし、棒２と棒連結部材３とをねじ６で螺合することにより分解可能にしている。本発明の枕カバー８を使用する場合は、棒連結部材３を棒２から外さずに枕カバー８を装着できるので、棒２と棒連結部材３との固定方法を接着剤や部材同士の圧入で行っても良く、また棒連結部材３とベッド固定部材４とは樹脂成形等の一体の部材で構成しても良い。また、滑り止め５は、少なくともベッド固定部材４とベッド１５の接する部分に有れば良く、成形品あるいはシート材料の貼り付け構成等、簡単にずれない効果があれば良い。
【００１６】
次に、枕カバー保持部材１がベッド１５の厚みに合わせ狭持する伸縮自在な調節構造の伸縮調節部材を有する構成の実施形態について説明する。図２は、本発明の実施形態のベッド１５の厚みに合わせて伸縮自在な調節構造を有する枕固定装置の斜視図であり、図３及び図４は、図２のＡ−Ａ線とＢ−Ｂ線に沿った断面図である。枕カバー保持部材１は、枕カバー８を着脱する棒２と、枕カバー保持部材１をベッドに装着後、簡単に動かないように先端部に摩擦係数の大きいゴム部材等でできた滑り止め５を有するベッド固定部材４と、ベッド固定部材４と棒２を連結させる棒連結部材３と、−X方向に付勢する引張りばね７を取付ける段付きねじＡ９と段付きねじＢ１０から構成される。また、枕カバー保持部材１は、棒連結部材３から突出し、前記ベッド利用者が接するベッド表面に密接する壁３ａに対し、滑り止め５を有するベッド固定部材Ｂ４ｂを＋ｘ方向に摺動させ、ベッド１５の厚みに合わせ、棒連結部材３の壁３ａと図示しないフレーム側ベッド裏面に密接するベッド固定部材Ｂ４ｂとで引張りばね７の付勢力でベッド１５を狭持する。
【００１７】
ベッド固定部材Ｂ４ｂは段付きねじＡ９の段９ｃとベッド固定部材Ａ４ａとで挟装されたかたちで、段付きねじＡ９のねじ部９ａでベッド固定部材Ａ４ａに螺合され、＋−X方向に摺動可能なように隙間ｎが設けられている。また、ベッド固定部材Ａ４ａも同様に、段付きねじＢ１０の段１０ｃとベッド固定部材Ｂ４ｂとで挟装されたかたちで、段付きねじＢ１０のねじ部１０ａでベッド固定部材Ｂ４ｂに螺合され、＋−X方向に摺動可能なように図示しない隙間ｎが設けられている。
【００１８】
段付きねじＡ９の段９ｃと段付きねじＢ１０の段１０ｃの径は、ベッド固定部材Ａ４ａとベッド固定部材Ｂ４ｂとが外れないように、ベッド固定部材Ａ４ａとベッド固定部材Ｂ４ｂに設けた＋−ｘ方向の摺動用長孔ｍの短手方向の幅寸法より大きい寸法に設定されている。また、段付きねじＡ９のばね取り付け用孔９ｂと段付きねじＢ１０のばね取り付け用孔１０ｂとに引張りばね７を取り付けることによりベッド固定部材Ｂ４ｂは−ｘ方向に付勢する。枕カバー保持部材１をベッド１５へ装着するときは、ベッド固定部材Ｂ４ｂを付勢力に逆らって＋ｘ方向に広げて行う。本実施形態では、付勢する部材に引張りばね７を使用したが、圧縮ばね、角度ばね（トーションばね）等を用いてベッド固定部材Ｂ４ｂを−ｘ方向に付勢しても良い。
【００１９】
図５は、本発明の実施形態のベッド１５の厚みに合わせて伸縮自在な調節構造部に保護カバー１１をとりつけた枕固定装置の斜視図である。保護カバー１１は、調節構造部に指の挟み込み等の怪我防止のほか美観も考慮し、ゴム材料やプラスチック材料や布材料等でできており、両端が開放の筒形状をしている。保護カバー１１の取り付けは、滑り止め５から通してもシート状の部材を調節構造部に巻きつけても良い。
【００２０】
また、図６は本発明の実施形態のベッド１５の厚みに合わせ伸縮自在な調節構造を有する第２の形態の枕カバー保持部材１の斜視図である。枕カバー保持部材１は、２つのベッド固定部材４を交差させるとともに略中央の交差部に回動可能な軸４ｄを設けるとともに、ベッド固定部材４と棒連結部材３との連結部に回動可能な軸３ｂを設けることにより、マジックハンドのような構造とし、棒連結部材３の壁３ａと滑り止め５とでベッド１５を狭持するように、軸３ｂとばね取り付け軸４ｅとに−ｘ方向に付勢する引張りばね７を装着した構成である。本実施形態では、−ｘ方向に付勢するばねに引張りばね７を用いたが、圧縮ばね、角度ばね等を用いても良い。
【００２１】
図７及び図８は本発明の実施形態の枕カバー８の斜視図と側面図である。枕カバー８は、枕カバー表面８ｃと枕カバー中部８ｄと枕カバー裏面８ｅと面ファスナー小１２ａと面ファスナー大１２ｂとで構成されている。また、枕カバー８は図示しない枕を出し入れする開口部を有する第１の収納部Ａ８ａと第２の収納部Ｂ８ｂとの２つの収納部を有し、第１の収納部Ａ８ａは人体頭部側に位置し、枕、水枕、保冷剤等を収納し、第２の収納部Ｂ８ｂは枕カバー中部８ｄを挟みベッド側に位置し、枕等を収納する。枕カバー８を枕カバー保持部材１に装着する際は、枕カバー中部８ｄを枕カバー保持部材１の棒２に巻き付けるようにし、図示しない枕の大きさと利用者の希望の枕位置とに合せ、枕カバー中部８ｄの端の両端部に固着させた面ファスナー小１２ａを枕カバー裏面８ｅに固着させた面ファスナー大１２ｂの任意の位置に固定する。枕カバーの位置を調整する位置調節部材である面ファスナー大１２ｂと面ファスナー小１２ａは、面ファスナー大１２ｂが面ファスナー小１２ａに対応する位置に配置されるとともに枕カバー８の短手方向に長くすることにより、面ファスナー小１２ａを数種類ある枕の大きさに合わせて自由な位置で固定することができ、また、ベッドに対する枕の位置も簡単に変更できる。
【００２２】
収納部Ａ８ａに水枕、保冷剤等を入れた場合は、空気が冷却され水滴が発生して図示しない枕やシーツやベッド１５を濡らしてしまうため、枕カバー中部８ｄの収納部Ａ８ａ内部の少なくとも一部に防水加工または、防水材料を用いて水滴を遮断する。また、収納部Ａ８ａ内部の枕カバー中部８ｄの少なくとも一部に防水、保温効果のあるウエットスーツに使われるクロロプレンゴム等の断熱材や保冷剤や空気袋を用いることにより、水枕、保冷剤等の低温度を維持することができる。収納部Ａ８ａに水枕、保冷剤等を入れ、収納部Ｂ８ｂに高さを調節するために図示しない枕を入れる場合も枕を濡らす心配が無い。また、枕カバー表面８ｃは、面ファスナー、ホック等によって枕カバー８から簡単に着脱できる構造とすることで、洗濯が可能となり清潔感を保てる。
【００２３】
本実施形態では、枕カバー保持部材１に枕カバー８を装着する際、枕カバー中部８ｄを棒２に巻き付ける構造としたが、枕カバー表面８ｃまたは枕カバー裏面８ｅを枕カバー中部８ｄのように長くし、棒２に装着する構成でも良い。
また、枕カバー裏面８ｅと枕カバー中部８ｄとを一体とし、折り曲げて収納部Ｂ８ｂを設けても良い。
【００２４】
図９は、本発明の実施形態の枕カバー保持部材１の一部に紐１３を用いて、枕固定装置をベッド１５に装着した斜視図である。ベッド１５の厚みに合わせて枕固定装置をベッド１５に装着する幅調節部材は、紐１３を固定する固定ボタン１４ａを押すことにより、紐調節部材１４内に折り込まれ紐１３を自由に動かすことが可能となり、固定ボタン１４ａを押したまま紐１３をベッド１５の厚みに合せ装着する幅に調節後、固定ボタン１４ａを放すことにより紐１３は適切な長さで固定される。この構造は、固定ボタン１４ａを押すことにより紐１３の固定が緩み、放すと紐１３が固定されるように図示しないばね等で紐１３の固定方向に付勢されている。
【産業上の利用可能性】
【００２５】
本発明の枕固定装置は、介護用ベッド等の背上げ式ベッドに限らず、例えば人体頭部の高さまで背もたれが有る椅子やソファにも応用できる。
【符号の説明】
【００２６】
１    枕カバー保持部材
２    棒
３    棒連結部材
３ａ  壁
３ｂ  軸
４    ベッド固定部材
４ａ  ベッド固定部材Ａ
４ｂ  ベッド固定部材Ｂ
４ｃ  ベッド固定部材Ｃ
４ｄ  軸
４ｅ  ばね取り付け軸
５    滑り止め
６    ねじ１
７    引張りばね
８    枕カバー
８ａ  収納部Ａ
８ｂ  収納部Ｂ
８ｃ  枕カバー表面
８ｄ  枕カバー中部
８ｅ  枕カバー裏面
９    段付きねじＡ
９ａ  ねじ部
９ｂ  ばね取り付け用孔
９ｃ  段
１０    段付きねじＢ
１０ａ  ねじ部
１０ｂ  ばね取り付け用孔
１０ｃ  段
１１    保護カバー
１２ａ  面ファスナー小
１２ｂ  面ファスナー大
１３    紐
１４    紐調節部材
１４ａ  固定ボタン
１５    ベッド
１５ａ  端面
ｍ      摺動用長孔
ｎ      隙間
＋ｘ    ＋ｘ方向
−ｘ    −ｘ方向
ｙ      落下方向
【図１】
0005780678.tif 000002
【図２】
0005780678.tif 000003
【図３】
0005780678.tif 000004
【図４】
0005780678.tif 000005
【図５】
0005780678.tif 000006
【図６】
0005780678.tif 000007
【図７】
0005780678.tif 000008
【図８】
0005780678.tif 000009
【図９】
0005780678.tif 000010